(57)【特許請求の範囲】
【請求項１】
上竪樋と下竪樋とを備えた竪樋の前記上竪樋に接続させる筒状の上側接続部と、
前記上側接続部の下方に設けられ、前記下竪樋に接続させる筒状の下側接続部と、
前記上側接続部に備えられ、この上側接続部から外方に張り出した張出部と、
前記張出部から前記上側接続部の軸線方向の下方に延び前記下側接続部の外壁面の一部を覆って、前記下側接続部との間に空間を形成する周壁部と、を備え、
前記上側接続部と前記下側接続部との間に、前記下側接続部からの溢流水を空間にオーバーフローさせる溢流水開口部が形成され、
前記下側接続部は、前記周壁部との間に配される底壁部を有し、
前記空間に流入した雨水を排出させる流出孔が、前記下側接続部の周方向に沿って間隔を空けて前記底壁部に複数形成されているオーバーフロー継手。
【請求項２】
上竪樋と下竪樋とを備えた竪樋の前記上竪樋に接続させる筒状の上側接続部と、
前記上側接続部の下方に設けられ、前記下竪樋に接続させる筒状の下側接続部と、
前記上側接続部に備えられ、この上側接続部から外方に張り出した張出部と、
前記張出部から前記上側接続部の軸線方向の下方に延び前記下側接続部の外壁面の一部を覆って、前記下側接続部との間に空間を形成する周壁部と、を備え、
前記上側接続部と前記下側接続部との間に、前記下側接続部からの溢流水を空間にオーバーフローさせる溢流水開口部が形成され、
前記下側接続部は、前記周壁部との間に配される底壁部を有し、
前記空間に流入した雨水を排出させる流出孔が、前記下側接続部の周方向に沿って間隔を空けて前記周壁部に複数形成されているオーバーフロー継手。
【請求項３】
上竪樋と下竪樋とを備えた竪樋の前記上竪樋に接続させる筒状の上側接続部と、
前記上側接続部の下方に設けられ、前記下竪樋に接続させる筒状の下側接続部と、
前記上側接続部に備えられ、この上側接続部から外方に張り出した張出部と、
前記張出部から前記上側接続部の軸線方向の下方に延び前記下側接続部の外壁面の一部を覆って、前記下側接続部との間に空間を形成する周壁部と、を備え、
前記上側接続部と前記下側接続部との間に、前記下側接続部からの溢流水を空間にオーバーフローさせる溢流水開口部が形成され、
前記空間に流入した雨水を排出させる流出孔が側方又は下方に向けて形成され、
前記下側接続部の内壁面には、前記上竪樋の前記下側接続部への挿入位置を決めるストッパーが形成されているオーバーフロー継手。
【請求項４】
前記下側接続部は、前記下竪樋と液密に嵌合可能な大きさに形成された小筒部と、前記上竪樋の外形よりも大きい相似形に形成され、前記周壁部の下端よりも上方まで延びた大筒部と、を有している請求項１〜３のいずれか一項に記載のオーバーフロー継手。
【請求項５】
前記上側接続部と前記下側接続部とが、前記周壁部と前記底壁部との間で分割自在に形成されている請求項１又は２に記載のオーバーフロー継手。
【発明の詳細な説明】
【技術分野】
【０００１】
本発明は、オーバーフロー継手に関する。
【背景技術】
【０００２】
従来より、建物に上下方向に設置される縦樋が異物で詰まったり、排水可能量を超える降水があったりした場合に備えて、縦樋の途中で流水をオーバーフローさせる手段として、例えば、下記特許文献１の縦樋のオーバーフロー構造が知られている。
この縦樋のオーバーフロー構造は、上樋と下樋とを連結させる鉛直管に枝管が設けられている。この枝管は、上方に向かって開口するオーバーフロー部を構成している。
【先行技術文献】
【特許文献】
【０００３】
【特許文献１】特許第５３２１４０７号公報
【発明の概要】
【発明が解決しようとする課題】
【０００４】
しかし、従来のオーバーフロー構造は、オーバーフロー部が上方に向かって開口しているため異物を取り込んで詰まらせやすく、降雨時に所望の機能を果たすことができないという問題があった。
そこで、本発明は、異物の侵入を防止して非常時に雨水を適切にオーバーフローさせるオーバーフロー継手を提供する。
【課題を解決するための手段】
【０００５】
本発明のオーバーフロー継手は、上竪樋と下竪樋とを備えた竪樋の前記上竪樋に接続させる筒状の上側接続部と、前記上側接続部の下方に設けられ、前記下竪樋に接続させる筒状の下側接続部と、前記上側接続部に備えられ、この上側接続部から外方に張り出した張出部と、前記張出部から前記上側接続部の軸線方向の下方に延び前記下側接続部の外壁面の一部を覆って、前記下側接続部との間に空間を形成する周壁部と、を備え、前記上側接続部と前記下側接続部との間に、前記下側接続部からの溢流水を空間にオーバーフローさせる溢流水開口部が形成され、前記空間に流入した雨水を排出させる流出孔が側方又は下方に向けて形成されている。
本発明の流出孔は、側方又は下方を向いているため枯葉等の異物を侵入させ難くすることができる。
【０００６】
本発明の前記下側接続部は、前記下竪樋と液密に嵌合可能な大きさに形成された小筒部と、前記上竪樋の外形よりも大きい相似形に形成され、前記周壁部の下端よりも上方まで延びた大筒部と、を有していてもよい。
本発明の大筒部は、雨水を一時貯留させることができるため、多雨時に雨水を直ぐにオーバーフローさせることを防止することができる。
【０００７】
本発明の前記流出孔から流出する溢流水を伝わせて前記下側接続部の外壁面に誘導するガイド壁部は、前記下側接続部の外壁面に設けられていてもよい。
この構成により、流出孔から流出した雨水が散乱することが抑制される。
【０００８】
本発明の前記ガイド壁部は、上下方向に延びる条状に形成され、下方に向かって漸次突出高さが小さくなっていてもよい。
この構成により、オーバーフローした雨水を下側接続部に沿わせることができる。
【０００９】
本発明の前記下側接続部は、前記周壁部との間に配される底壁部を有し、前記流出孔は、前記下側接続部の周方向に沿って間隔を空けて前記底壁部に複数形成されていてもよい。
本発明の流出孔は、底壁部に形成されていることにより、異物の侵入を防止することができる。
【００１０】
本発明の前記下側接続部は、前記周壁部との間に配される底壁部を有し、前記流出孔は、前記下側接続部の周方向に沿って間隔を空けて前記周壁部に複数形成されていてもよい。
この構成により、周壁部と下側接続部との間に形成された空間に雨水を一時貯留させることができ、大量の降雨時に雨水を急激にオーバーフローさせることを防止することができる。
【００１１】
本発明の前記上側接続部と前記下側接続部とは、前記張出部と前記周壁部との間で分割自在に形成されていてもよい。
この構成により、空間内に浸入した異物を除去することができる。
【００１２】
本発明の前記上側接続部と前記下側接続部とは、前記周壁部と前記底壁部との間で分割自在に形成されていてもよい。
この構成により、空間内に浸入した異物を除去することができる。
【００１３】
本発明の前記下側接続部の内壁面には、前記上竪樋の前記下側接続部への挿入位置を決めるストッパーが形成されていてもよい。
この構成により、上竪樋の下側接続部への挿入が容易となる。
【発明の効果】
【００１４】
本発明のオーバーフロー継手は、異物の侵入を防止して非常時に雨水を適切にオーバーフローさせるという効果を奏する。
【図面の簡単な説明】
【００１５】
【図１】本発明の第１の実施形態に係るオーバーフロー継手を示す側面図である。
【図２】本発明の第１の実施形態に係るオーバーフロー継手を示す縦断面図である。
【図３】本発明の第１の実施形態に係るオーバーフロー継手を分割して示した下方斜視図である。
【図４】本発明の第２の実施形態に係るオーバーフロー継手を示す側面図である。
【図５】本発明の第２の実施形態に係るオーバーフロー継手を分割して示した上方斜視図である。
【図６】本発明の第２の実施形態に係るオーバーフロー継手を示す縦断面図である。
【図７】本発明の第１の実施形態に係るオーバーフロー継手の変形例を分割して示した上方斜視図である。
【図８】本発明の第２の実施形態に係るオーバーフロー継手の変形例を分割して示した上方斜視図である。
【図９】本発明の第３の実施形態に係るオーバーフロー継手を分割して示した上方斜視図である。
【図１０】本発明の第３の実施形態に係るオーバーフロー継手を示す縦断面図である。
【図１１】本発明の第３の実施形態に係るオーバーフロー継手を図１０と異なる角度で切断した縦断面図である。
【発明を実施するための形態】
【００１６】
以下、図面を参照して、本発明のオーバーフロー継手の第１の実施形態から第３の実施形態について説明する。なお、以下の説明で用いる図は模式的なものであり、各部分の寸法は実際のものと同一とは限らず、適宜変更することができる。
図１に示すように、第１の実施形態のオーバーフロー継手１Ａの適用対象である竪樋２は略円筒形状に形成されている。オーバーフロー継手１Ａが適用される竪樋２は、特に、建物に設けられたバルコニーの下方に、呼び樋等を介して建物の外壁面に沿って上下方向に設置されるものである。
【００１７】
オーバーフロー継手１Ａは、竪樋２の上下方向の中間部に設けられる。オーバーフロー継手１Ａは、一の竪樋２を上竪樋２ａと下竪樋２ｂとに切断したうちの上竪樋２ａに接続させる筒状の上側接続部３と、上側接続部３の下方に設けられ、前記下竪樋２ｂに接続させる筒状の下側接続部４と、図２に示すように、上側接続部３に備えられ、上側接続部３から外方に張り出した張出部５と、張出部５から下方に延び下側接続部４の外壁面の一部を覆って、下側接続部４との間に空間７を形成する周壁部６とを備えている。
上側接続部３と下側接続部４との間には、下側接続部４からの溢流水を空間７にオーバーフローさせる溢流水開口部８が形成され、空間７に流入した雨水を排出させる流出孔９が下方に向けて形成されている。
【００１８】
上側接続部３は、上竪樋２ａをその内部に嵌入させる円筒形状の受け口１０と張出部５とを備えている。
受け口１０は、内壁面１０ａが上竪樋２ａの外壁面２ｓと密接するように、内径寸法が上竪樋２ａの外径寸法と略同じ寸法に形成されている。
上側接続部３の周方向の一部は、竪樋２に形成された突条部Ｐ（図７参照）を嵌合させる凸部１１が形成されている。
【００１９】
張出部５は、上側接続部３の下端から下方に向かって漸次拡径するテーパ状に形成されている。
周壁部６は、張出部５の下端から上側接続部３の軸線Ｌ１方向に沿って一定の径で下方に円筒状に延びている。
周壁部６は、上側接続部３の張出部５と一体的に形成されている。
【００２０】
下側接続部４は、下竪樋２ｂの内部に嵌入させる円筒形状の差し口となる小筒部１５と、小筒部１５の上端１５ｈから拡径して小筒部１５の上方に円筒状に形成された大筒部１６と、周壁部６と大筒部１６との間に配された底壁部１７とを有している。
小筒部１５と大筒部１６との間には、段部１８が形成されている。
底壁部１７は段部１８と同一平面上に形成されている。
【００２１】
小筒部１５は、外壁面１５ｓが下竪樋２ｂの内壁面２ｔに液密に嵌合可能なように、外形寸法が下竪樋２ｂの内径寸法と略同じ寸法に形成されている。
大筒部１６は、上竪樋２ａの外径よりも大径に（すなわち上竪樋２ａの外形よりも大きい相似形に）、かつ周壁部６より小径に（すなわち周壁部６の内形よりも小さい相似形に）形成されている。
【００２２】
大筒部１６の上端１６ｈは、張出部５の下方に位置している。言い換えると、大筒部１６の上端１６ｈと受け口１０の下端１０ｋとは、互いに離間しており、下側接続部４を上がってきた雨水を下側接続部４の外側に溢流させる溢流水開口部８を形成している。
【００２３】
図３に示すように、底壁部１７には等間隔環状方向に空間７（図２参照）に流入した雨水を排出するための流出孔９が複数形成されている。
また、底壁部１７は、その外縁よりも内側（具体的には、周壁部６の肉厚寸法分内側に入った位置）に、周壁部６を嵌着させる嵌着筒部２０を有している。
底壁部１７及び嵌着筒部２０は、下側接続部４と一体的に形成されている。
【００２４】
したがって、図２に示すように、大筒部１６と張出部５及び周壁部６との間には、空間７が形成され、溢流水開口部８から雨水を流入させることができるようになっている。
以上の構成の下に、一体的に形成された上側接続部３及び周壁部６と、下側接続部４とは、周壁部６と底壁部１７との間を境に分割自在となっている。すなわち、上側接続部３及び周壁部６は、周壁部６を底壁部１７に当接するまで嵌着筒部２０に外嵌（すなわち外側に嵌合）させることで下側接続部４と連結し、底壁部１７から離間させることで下側接続部４と分割できるようになっている。
【００２５】
次に、上竪樋２ａ及び下竪樋２ｂとの間にオーバーフロー継手１Ａを接続させる方法について説明する。
まず、図３に示すように、上側接続部３と下側接続部４とを周壁部６と底壁部１７との間を境に分割する。
上側接続部３は、図２に示すように、上竪樋２ａの下端部の外側に嵌合させる。この際、上竪樋２ａの下端２ｋ縁を一旦段部１８まで挿入する。
【００２６】
下側接続部４は、下竪樋２ｂの上端部の内側に嵌合させる。この際、下竪樋２ｂの上端部で小筒部１５を略完全に覆うようにする。
上竪樋２ａ及び上側接続部３と、下側接続部４及び下竪樋２ｂとの間に隙間が形成されるので、上側接続部３の軸線Ｌ１と下側接続部４の軸線Ｌ２とを一致させ、上竪樋２ａに対して上側接続部３を引き抜く方向に相対移動させる。そして、周壁部６を嵌着筒部２０の外側に嵌合させつつ、上側接続部３を下側接続部４に被冠させる。
【００２７】
そうすると、図２に示すように、上竪樋２ａの下端２ｋが、大筒部１６の上端１６ｈよりも下方かつ段部１８よりも上方（すなわち軸線Ｌ１方向中間部）に位置し、上竪樋２ａと、段部１８との間で十分な隙間が形成される。また、大筒部１６は、上竪樋２ａよりも大径に形成されているため、上竪樋２ａと大筒部１６との間に溢流水を流通させる流路２１が形成される。雨水の流路２１への円滑な流出を図るためには、上竪樋２ａの下端は、大筒部１６の上端１６ｈよりも下方であって上端１６ｈ側に位置させる。
【００２８】
大筒部１６の内孔は、流出孔２１，溢流水開口部８及び空間７と連通しており、その後流出孔９を介してオーバーフロー継手１Ａの外側と連通する。
以上により、オーバーフロー継手１Ａを備えた竪樋２の構造が完成する。
【００２９】
このように、オーバーフロー継手１Ａは、溢流水開口部８が側方を向いているが張出部５，周壁部６及び大筒部１６により流出孔９が下方を向くように形成されているため、オーバーフロー継手１Ａの流出孔９から異物が浸入することを有効に防止することができるという効果を奏する。
特にオーバーフロー継手１Ａは、図３に示すように、流出孔９が下側接続部４の周方向に沿って間隔を空けて複数形成された構成となっており、つまり流出孔９が複数に区切られているため、異物の侵入をより有効に防止することができるという効果を奏する。
【００３０】
また、大筒部１６は、上竪樋２ａよりも大径に形成されているため、下竪樋２ｂから上がってきた雨水を一時的に貯留することができる。したがって、オーバーフロー継手１Ａは、雨水のオーバーフローを遅らせて、下竪樋２ｂを介して雨水を可及的に排水口へ流下させることができるという効果を奏する。
【００３１】
また、オーバーフロー継手１Ａは、一体的に形成された上側接続部３及び周壁部６と下側接続部４とが分割自在であるので、竪樋２への設置時に取り扱いが容易となるという効果が得られる。また、オーバーフロー継手１Ａは、下側接続部内に異物が侵入した場合にこれを容易に取り除くことができるという効果を奏する。
【００３２】
次に、本発明の第２の実施形態について図４−図６を用いて説明する。本実施形態において第１の実施形態と同一の構成については同一の符号を付してその説明を省略する。
図４，図５に示すように、本実施形態のオーバーフロー継手１Ｂは、流出孔９を底壁部１７に形成するのではなく、周壁部６に周方向に間隔を空けて複数形成されている。
流出孔９は周壁部６の上端６ｈよりも下方で下端６ｋよりも上方の位置に矩形に形成されている。
【００３３】
また、図６に示すように、下側接続部４は、小筒部１５が底壁部１７を超えて上側接続部３の軸線Ｌ１方向中間部まで延び、小筒部１５の上端１５ｈにテーパ部（大筒部）１６が設けられている。テーパ部１６は、軸線Ｌ１方向上方に向かって漸次拡径している。テーパ部１６の上端１６ｈは流出孔９の上端９ｈ近傍に達している。
【００３４】
この構成により、オーバーフロー継手１Ｂは、流出孔９から異物が侵入し難いという効果を奏する。また、オーバーフロー継手１Ｂは、流出孔９から異物が侵入したとしても、下側接続部４の内孔に浸入し難いようになっている。また、オーバーフロー継手１Ｂは、小筒部１５の上方がテーパ部１６となっているため、空間７内に入り込んだ異物が風等で舞い上がった際に、テーパ部１６が異物の侵入に対する返し板のような役割を果たしており、異物の下側接続部４及び下竪樋２ｂへの浸入を一層効果的に防止している。
【００３５】
また、底壁部１７を超えて小筒部１５を上方に突出させ、その上方に周壁部６の上端６ｈの下方まで延びる浅いテーパ部１６を設けているため、周壁部６と下側接続部４との間に形成される空間７を大きく採ることができる。
また、オーバーフロー継手１Ｂは、上竪樋２ａをその下端２ｋが大筒部１６の近傍であって、上竪樋２ａから流下する雨水が空間７に直接流入又は飛散し難い位置まで挿入させるようになっている。
【００３６】
この構成により、溢流水開口部８が上竪樋２ａに塞がれる面積を極力小さくすることができる。したがって、オーバーフロー継手１Ｂは、下側接続部４から上がってきた雨水を円滑に空間７に流入させることができるという効果を奏する。
【００３７】
なお、図７，図８に示すように、第１の実施形態及び第２の実施形態に示した上側接続部３の下部には、周方向の一部に上側接続部３の受け口１０が径方向外方に膨らみ、下側接続部４から上がってきた雨水を一時貯留する膨出部２５が形成されていてもよい。
【００３８】
この膨出部２５は、受け口１０から立ち上がる側板部２６と、側板部２６，２６間に跨る周板部２７と、側板部２６，２６及び周板部２７の上面を覆う天板部２８とを備えている。膨出部２５の下方には張出部５を有していない。膨出部２５において、張出部５は周板部２７の下端から径方向外方に張り出している。
この構成により、オーバーフロー継手１Ａ，１Ｂは、張出部５及び周壁部６の内側に溢流水が満杯になった場合に、膨出部５，２５の内側に更に雨水を一時保留させることができるという効果を奏する。
【００３９】
天板部２８は、周板部２７に向かって下方に傾斜するように配されている。
この構成により、膨出部２５が雨水で一杯になり更に雨水が上昇してきても、上側接続部３を上方に押し上げようとすることを防止して、雨水を上竪樋２ａ内に導くことができる。
【００４０】
次に、本発明の第３の実施形態について図９−図１１を用いて説明する。本実施形態において第１の実施形態と同一の構成については同一の符号を付してその説明を省略する。
本実施形態のオーバーフロー継手１Ｃは、第１の実施形態のオーバーフロー継手１Ａを変形して形成したものであり、図９に示すように、張出部５を備えた上側接続部３と、小筒部１５と大筒部１６とを備えた下側接続部４とを備えている。
【００４１】
張出部５は、周方向の一部で径方向に直交する仮装線上で切断され、直線部３０を有した形状となっている。
張出部５の下端には、張出部５の外径に沿って所定寸法内側の位置に、周壁部６の内壁に密接しながら嵌着する嵌着壁部３１が形成されている。所定寸法とは、周壁部６の肉厚寸法と略同寸法である。上側接続部３は、第１の実施形態で示した受け口１０（図１参照）を有していない。
【００４２】
図１０に示すように、下側接続部４の大筒部１６の軸線Ｌ２方向の長さ寸法は、小筒部１５の軸線Ｌ２方向の長さ寸法よりも長く形成されている。本実施形態では、大筒部１６の軸線Ｌ２方向の長さ寸法はオーバーフロー継手１Ｃ全体の長さの約半分程度の長さを有するように形成されている。
【００４３】
周壁部６は、張出部５の下端から垂下するように形成されており、張出部５の直線部３０の下方で、平坦部３２を有している。この周壁部６と大筒部１６との間には、空間７が形成されている。
周壁部６は、張出部５と分割可能に形成されている。
【００４４】
図９，図１１に示すように、大筒部１６には、外壁面１６ｓから立ち上がる板状（言い換えると条状又は凸条）のガイド壁３５が周方向に間隔を空けて複数形成されている。
図１０，図１１に示すように、ガイド壁３５は、大筒部１６の外壁面１６ｓから周壁部６の下端６ｋに亘って立上っており、周壁部６と大筒部１６との間に形成された流出孔９を区画している。
ガイド壁３５の立ち上り寸法（突出寸法）は、軸線Ｌ２方向の下方に向かうに従って小さく形成されている。
【００４５】
この構成の下に、オーバーフロー継手１Ｃは、溢流水開口部８を経て大筒部１６内に上昇した雨水を空間７に流入させ、下方を向いた流出孔９から排水できるようになっている。
流出孔９にはガイド壁３５が跨っているため、雨水はガイド壁３５を伝って誘導されながら下側接続部４及び下竪樋（図示省略）の表面を伝って流下する。
【００４６】
したがって、オーバーフロー継手１Ｃは、流出孔９から排水された雨水が、下竪樋（図示省略）の周囲及び地面近傍で飛散することを防止することができるという効果を奏する。
また、流出孔９がガイド壁３５部により区切られており、更にガイド壁３５部が大筒部１６の外壁面１６ｓから立ち上がっているため、流出孔９に異物が入ることを有効に防止することができるという効果を奏する。
【００４７】
また、オーバーフロー継手１Ｃは、張出部５及び周壁部６の一部が直線状又は平坦に形成されているため、建物の外壁に沿わせやすいという効果を奏する。
また、張出部５と周壁部６とが分割可能に形成されているため、上側接続部３の張出部５を下側接続部４と分離させた状態で上竪樋２ａの下側接続部４への挿入位置を確認しながら上竪樋２ａと組み合わせ、その後上側接続部３（張出部５）を下側接続部４に被冠させることができる。したがって、オーバーフロー継手１Ｃは、上竪樋２ａの設置が容易であるという効果を奏する。
なお、オーバーフロー継手１Ｃは、張出部５の上端に受け口を形成したものであってもよい。
【００４８】
以上、本発明の各実施形態について説明したが、本発明は上記実施形態に示した構成に限定されるものではなく、各部を適宜変更又は組み合わせて適用することができる。
例えば、上記実施形態では竪樋２が円筒形状である場合を例示して説明したが、竪樋２が軸線方向に直交する断面視で略矩形の竪樋２その他多角形状の竪樋２にも適用することができる。この場合、上側接続部３及び下側接続部４は、上竪樋２ａ及び下竪樋２ｂの相似形に形成すればよい。
【００４９】
また、流出孔９は、周壁部６及び底壁部１６のいずれかに択一的に形成されているものではなく、双方に形成されていてもよい。
また、流出孔９は、周壁部６及び／又は底壁部１７の周方向の一部に形成されていてもよく、特に、竪樋２を設置している建物に対向する側にのみ設けられていることが好ましい。この構成により、オーバーフロー継手１Ｂ，１Ｃは、竪樋２への設置状態において、流出孔９を目立たなくすることができるという効果を奏する。
【００５０】
また、上記各実施形態では、建物の外壁への取り付け時に用いられる突条部Ｐが形成された竪樋２を例示して説明したが、突条部Ｐを有していない竪樋２についても適用が可能である。
また、第１の実施形態及び第２の実施形態において流出孔９は矩形に形成されているが、異物が侵入し難い形状に形成されていてれば、長孔状，網状その他の形状に形成されていてもよい。
【００５１】
また、オーバーフロー継手１Ａ−１Ｃは、例えば図２，図１０に示すように、上竪樋２ａを適切な位置まで挿入させてそれ以上の挿入を規制する（すなわち挿入位置を決める）ストッパー４０を大筒部１６の内壁面に等間隔環状配置で形成しているとよい。
【符号の説明】
【００５２】
１Ａ，１Ｂ，１Ｃ…オーバーフロー継手，２…竪樋，２ａ…上竪樋，２ｂ…下竪樋，３…上側接続部，４…下側接続部，５…張出部，６…周壁部，７…空間，８…溢流水開口部，９…流出孔，１５…小筒部，１６…大筒部，１７…底壁部，３５…ガイド壁部
【図１】
0006517005.tif 000002
【図２】
0006517005.tif 000003
【図３】
0006517005.tif 000004
【図４】
0006517005.tif 000005
【図５】
0006517005.tif 000006
【図６】
0006517005.tif 000007
【図７】
0006517005.tif 000008
【図８】
0006517005.tif 000009
【図９】
0006517005.tif 000010
【図１０】
0006517005.tif 000011
【図１１】
0006517005.tif 000012